(57)【要約】【課題】風力エネルギーを効果的に利用することで出力を向上させるとともに、発電に用いる永久磁石が減磁しにくい風力発電装置を提供する。【解決手段】風力を受けて回転する後部ロータ８３と、この後部ロータ８３の前流に配置された前部ステータ８１とを備えた風力発電装置８０において、後部ロータ８３及び前部ステータ８１の一方に永久磁石５２及び電機子５１を配置し、他方に永久磁石５２の磁束を形成するために永久磁石５２及び電機子５１に対向可能にヨーク３２を配置するとともに、永久磁石５２及び電機子５１と、ヨーク３２とを、後部ロータ８３の回転軸２２の軸方向に並ぶように配置した。【選択図】図５
2008128144.tif 000002
【特許請求の範囲】
【請求項１】
風力を受けて回転するロータと、このロータの前流もしくは後流に配置されたステータとを備えた風力発電装置において、
前記ロータ及び前記ステータの一方に界磁磁石及び電機子を配置し、他方に前記界磁磁石の磁束を形成するために前記界磁磁石及び前記電機子に対向可能にヨークを配置するとともに、前記界磁磁石及び前記電機子と、前記ヨークとを、前記ロータの回転軸の軸方向に並ぶように配置したことを特徴とする風力発電装置。
【請求項２】
前記ステータに前記界磁磁石及び前記電機子を配置し、前記ロータに前記ヨークを配置したことを特徴とする請求項１記載の風力発電装置。
【請求項３】
前記ステータは、前記ロータに流入する空気の速度を高める増速翼列であることを特徴とする請求項１又は請求項２記載の風力発電装置。
【請求項４】
風力を受けて回転する第１のロータと、風力を受けて回転するときに前記第１のロータに対して相対速度を有する第２のロータとを備えた風力発電装置において、
前記第１のロータに界磁磁石及び電機子を配置し、前記第２のロータに前記界磁磁石の磁束を形成するために前記界磁磁石及び前記電機子に対向可能にヨークを配置するとともに、前記界磁磁石及び前記電機子と、前記ヨークとを、前記第１・第２のロータの回転軸の軸方向に並ぶように配置したことを特徴とする風力発電装置。
【請求項５】
前記第１のロータと前記第２のロータとは逆方向に回転することを特徴とする請求項４記載の風力発電装置。
【発明の詳細な説明】
【技術分野】
【０００１】
本発明は、風力発電装置の改良に関するものである。
【背景技術】
【０００２】
近年、風力エネルギーを利用した小型風力発電装置が市街地に街路灯等の独立電源として設置されてきている。このような小型風力発電装置は、大型風力発電装置に比べて発電効率が低いことから、小型風力発電装置の出力を向上させるために風力エネルギーを効果的に利用することが求められている。
【０００３】
従来の風力発電装置としては、回転可能なブレードの先端側に永久磁石を取付け、この永久磁石の半径方向外側にコイルを配置したもの（例えば、特許文献１参照。）や、主軸に２つのローターを取付け、これらのローターの一方に磁石、他方に誘導コイルを取付けたもの（例えば、特許文献２参照。）が知られている。
【特許文献１】特開平１１−２９９１９７号公報
【特許文献２】特開平７−１７４０６７号公報
【０００４】
特許文献１の図１を以下の図６で説明する。なお、符号は振り直した。
図６は従来の風力発電装置の正面図であり、風力発電装置２００は、図示せぬ支持部材に回転自在に支持された回転軸２０１と、この回転軸２０１に放射状に取付けられた複数のブレード２０２と、これらのブレード２０２の各先端に取付けられた輪環２０３と、この輪環２０３の外周面に取付けられた複数の永久磁石２０４と、これらの永久磁石２０４の半径方向外側に永久磁石２０４に対向するように配置された複数のコイル２０６と、これらのコイル２０６が巻き回された鉄心２０７とからなる。
【０００５】
特許文献２の図１を以下の図７で説明する。なお、符号は振り直した。
図７は従来の風力発電装置の断面図であり、風力発電装置２１０は、主軸２１１と、この主軸２１１に軸方向に並ぶように回転自在に取付けられた２つのローター２１２，２１３と、これらのロータ２１２，２１３の先端にそれぞれ取付けられたブレード２１４と、一方のローター２１２に取付けられた複数の磁石２１６と、他方のローター２１３に上記の磁石２１６の半径方向内側に対向するように取付けられた複数の誘導コイル２１７とからなる。
【発明の開示】
【発明が解決しようとする課題】
【０００６】
上記の特許文献１では、永久磁石２０４とコイル２０６とが半径方向に並んでいるため、風力発電装置２００の外形寸法が大きくなる。例えば、外形寸法を所定寸法にすると、ブレード２０２の長さが短くなり、受風面積が小さくなる。受風面積が小さくなれば、単位時間当たりに通過する風のエネルギーが小さくなるため、得られる出力、即ち、風力発電装置２００の出力が小さくなる。
【０００７】
特許文献２についても、磁石２１６と誘導コイル２１７とが半径方向に並んでいるため、２つのローター２１２，２１３の外形寸法が大きくなるから、特許文献１と同様に風力発電装置２１０の出力が小さくなる。
【０００８】
また、特許文献１及び特許文献２では共に、磁石とコイルとにより電磁誘導作用で発電しているが、出力を高めるためにより発電量が大きな発電方法が求められている。
更に、永久磁石は、使用時間、温度変化、外部磁界、振動、衝撃等の影響を受けて磁力が弱くなる、即ち、減磁するため、減磁しにくい構造が望まれている。
【０００９】
本発明の目的は、風力エネルギーを効果的に利用することで出力を向上させるとともに、発電に用いる永久磁石が減磁しにくい風力発電装置を提供することにある。
【課題を解決するための手段】
【００１０】
請求項１に係る発明は、風力を受けて回転するロータと、このロータの前流もしくは後流に配置されたステータとを備えた風力発電装置において、ロータ及びステータの一方に界磁磁石及び電機子を配置し、他方に界磁磁石の磁束を形成するために界磁磁石及び電機子に対向可能にヨークを配置するとともに、界磁磁石及び電機子と、ヨークとを、ロータの回転軸の軸方向に並ぶように配置したことを特徴とする。
【００１１】
作用として、界磁磁石及び電機子と、ヨークとを、ロータの回転軸の軸方向に並ぶように配置することにより、界磁磁石及び電機子と、ヨークとを、半径方向に並べて配置するのに比べてステータ及びロータの直径が小さくなる。
【００１２】
従って、本発明の界磁磁石及び電機子と、ヨークとを、ロータの回転軸の軸方向に並ぶように配置したものと、従来の永久磁石とコイルとを半径方向に並べて配置したものとを、ロータ直径を同一の所定寸法にした場合、本発明のロータの受風面積は従来のロータの受風面積よりも大きくなる。
【００１３】
また、ロータ及びステータの一方に界磁磁石及び電機子を配置することにより、電機子を構成するコイルが巻かれたヨークの両端に界磁磁石が配置された場合に、Ｎ極とＳ極との距離を大きくすることが可能になり、反磁界が弱まり、これに伴って磁界が強くなる。  磁界が強くなれば、界磁磁石及び電機子と、ヨークとによる電磁誘導作用によって発生する起電力が高くなり、発電量が増える。
更に、反磁界が弱くなれば、界磁磁石が減磁しにくくなる。
【００１４】
請求項２に係る発明は、ステータに界磁磁石及び電機子を配置し、ロータにヨークを配置したことを特徴とする。
作用として、ロータにヨークのみを配置すれば、ロータが軽量になり、ロータの始動性が向上する。
【００１５】
請求項３に係る発明は、ステータを、ロータに流入する空気の速度を高める増速翼列としたことを特徴とする。
作用として、ステータからロータへ増速した空気を送り、ロータの回転速度を高める。
【００１６】
請求項４に係る発明は、風力を受けて回転する第１のロータと、風力を受けて回転するときに第１のロータに対して相対速度を有する第２のロータとを備えた風力発電装置において、第１のロータに界磁磁石及び電機子を配置し、第２のロータに界磁磁石の磁束を形成するために界磁磁石及び電機子に対向可能にヨークを配置するとともに、界磁磁石及び電機子と、ヨークとを、第１・第２のロータの回転軸の軸方向に並ぶように配置したことを特徴とする。
【００１７】
作用として、界磁磁石及び電機子と、ヨークとを、第１・第２のロータの回転軸の軸方向に並ぶように配置することにより、界磁磁石及び電機子と、ヨークとを、半径方向に並べて配置するのに比べて第１・第２のロータの直径が小さくなる。
【００１８】
従って、本発明の界磁磁石及び電機子と、ヨークとを、第１・第２のロータの回転軸の軸方向に並ぶように配置したものと、従来の永久磁石とコイルとを半径方向に並べて配置したものとを、ロータ直径を同一の所定寸法にした場合、本発明の第１・第２のロータの受風面積は従来のロータの受風面積よりも大きくなる。
【００１９】
また、第１・第２のロータの一方に界磁磁石及び電機子を配置することにより、電機子を構成するコイルが巻かれたヨークの両端に界磁磁石が配置された場合に、Ｎ極とＳ極との距離を大きくすることが可能になり、反磁界が弱まり、これに伴って磁界が強くなる。  磁界が強くなれば、界磁磁石及び電機子と、ヨークとによる電磁誘導作用によって発生する起電力が高くなり、発電量が増える。
更に、反磁界が弱くなれば、界磁磁石が減磁しにくくなる。
【００２０】
請求項５に係る発明は、第１のロータと第２のロータとは逆方向に回転することを特徴とする。
作用として、第１ロータと第２ロータとの相対速度が大きくなり、発電量が増える。
【発明の効果】
【００２１】
請求項１に係る発明では、ロータ及びステータの一方に界磁磁石及び電機子を配置し、他方に界磁磁石の磁束を形成するために界磁磁石及び電機子に対向可能にヨークを配置するとともに、界磁磁石及び電機子と、ヨークとを、ロータの回転軸の軸方向に並ぶように配置したので、ロータの直径を小さくすることができ、ロータ直径を所定寸法に設定する場合には、ロータの受風面積を従来よりも大きくすることができる。従って、風力エネルギーを効果的に利用することができ、風力発電装置の出力を向上させることができる。
【００２２】
また、ロータ及びステータの一方に界磁磁石及び電機子を配置することで、電機子を構成するコイルが巻かれたヨークの両端に界磁磁石が配置された場合に、Ｎ極とＳ極との距離を大きくすることができ、反磁界を弱め、これに伴って磁界を強くすることができる。
【００２３】
従って、ロータ及びステータの他方のヨークが界磁磁石及び電機子に接近、あるいは離れたときに発生する磁束の変化を、ロータ及びステータの一方に永久磁石のみを配置した場合に比べて大きくすることができ、大きな起電力を発生させることができる。このことからも、風力発電装置の出力を向上させることができる。
【００２４】
更に、反磁界が弱まることで、界磁磁石を減磁しにくくすることができる。従って、長期間の発電や、温度が高い環境での発電に耐えることができる。
【００２５】
請求項２に係る発明では、ステータに界磁磁石及び電機子を配置し、ロータにヨークを配置したので、ロータを軽量にすることができ、ロータの始動性を向上させることができて、風力発電装置の出力を増すことができる。
【００２６】
請求項３に係る発明では、ステータを、ロータに流入する空気の速度を高める増速翼列としたので、ステータによりロータの回転速度をより高めることができ、風力発電装置の出力を向上させることができる。
【００２７】
請求項４に係る発明では、第１のロータに界磁磁石及び電機子を配置し、第２のロータに界磁磁石の磁束を形成するために界磁磁石及び電機子に対向可能にヨークを配置するとともに、界磁磁石及び電機子と、ヨークとを、第１・第２のロータの回転軸の軸方向に並ぶように配置したので、第１・第２のロータの直径を小さくすることができ、第１・第２のロータ直径を所定寸法に設定する場合には、第１・第２のロータの受風面積を従来よりも大きくすることができる。従って、風力エネルギーを効果的に利用することができ、風力発電装置の出力を向上させることができる。
【００２８】
また、第１のロータに界磁磁石及び電機子を配置することで、電機子を構成するコイルが巻かれたヨークの両端に界磁磁石が配置された場合に、Ｎ極とＳ極との距離を大きくすることができ、反磁界を弱め、これに伴って磁界を強くすることができる。
【００２９】
従って、第２のロータのヨークが界磁磁石及び電機子に接近、あるいは離れたときに発生する磁束の変化を、第１のロータに永久磁石のみを配置した場合に比べて大きくすることができ、大きな起電力を発生させることができる。このことからも、風力発電装置の出力を向上させることができる。
【００３０】
更に、反磁界が弱まることで、界磁磁石を減磁しにくくすることができる。従って、長期間の発電や、温度が高い環境での発電に耐えることができる。
【００３１】
請求項５に係る発明では、第１のロータと第２のロータとは逆方向に回転するので、第１のロータと第２のロータとの相対速度を大きくすることができ、風力発電装置の出力を向上させることができる。
【発明を実施するための最良の形態】
【００３２】
本発明を実施するための最良の形態を添付図に基づいて以下に説明する。なお、図面は符号の向きに見るものとする。
図１は本発明に係る風力発電装置（第１実施形態）の断面図であり、風力発電装置１０は、胴体としてのナセル１１と、このナセル１１に回転可能に取付けられた前部ロータ１２及び後部ロータ１３と、これらの前部ロータ１２及び後部ロータ１３に取付けられた発電部１４と、この発電部１４で発電された電力を外部に導く電力導出部１６と、ナセル１１を支持する支柱１７とからなる。
【００３３】
ナセル１１は、前部ロータ１２に取付けられた回転軸２１及び後部ロータ１３に取付けられた筒状回転軸２２が回転可能に設けられた部材である。
前部ロータ１２は、回転軸２１の前端に取付けられたキャップ２４と、このキャップ２４に取付けられた複数のロータブレード２５とからなる。
後部ロータ１３は、筒状回転軸２２の前端に取付けられたキャップ２７と、このキャップ２７に取付けられた複数のロータブレード２８とからなり、前部ロータ１２とは逆回転する。
【００３４】
発電部１４は、後部ロータ１３の各ロータブレード２８前部に設けられた発電本体３１と、前部ロータ１２の各ロータブレード２５後部に設けられたヨーク３２とからなり、発電本体３１とヨーク３２とが接近、あるいは離れたときに電磁誘導作用により起電力が誘導される。
【００３５】
本発明の風力発電装置１０は、上記の前部ロータ１２及び後部ロータ１３に発電部１４を設けることで、従来のようにナセル内に発電部を設けるのに比べて、ナセル１１及びキャップ２４，２７を小型、特に小径にすることが可能になり、その分、前部ロータ１２及び後部ロータ１３を大きくすることができ、受風面積を大きくすることができる。また、風力発電装置１０は、増速機を備えていないために構造が簡素になる。
【００３６】
図２（ａ），（ｂ）は本発明に係る前部ロータ及び後部ロータの正面図（第１実施形態）である。
（ａ）に示す前部ロータ１２は、２枚のロータブレード２５，２５を備え、ヨーク３２は、その長手方向が、回転軸２１の中心を通るとともにロータブレード２５，２５上に位置する中心線２６に沿うように、ロータブレード２５の幅の内側に配置される。
【００３７】
（ｂ）に示す後部ロータ１３は、２枚のロータブレード２８，２８を備え、発電本体３１は、その長手方向が、筒状回転軸２２の中心を通るとともにロータブレード２８，２８上に位置する中心線２９に沿うように、ロータブレード２８の幅の内側に配置される。
【００３８】
図３は本発明に係る風力発電装置（第１実施形態）の要部断面図であり、ナセル１１の内側には一対のベアリング４１，４２を介して回転可能に筒状回転軸２２が支持され、この筒状回転軸２２の内側には一対のベアリング４３，４４を介して回転可能に回転軸２１が支持されている。
後部ロータ１３に設けられた発電本体３１は、電機子５１と、この電機子５１の両端部前部に取付けられた２つの界磁磁石としての永久磁石５２，５２とからなる。
電機子５１は、ヨーク５４と、このヨーク５４の中央部に備える突起部５４ａに巻かれたコイル５６とからなる。
上記したヨーク３２，５４は、透磁性のある材料、例えば、電磁鋼板等が好適である。
【００３９】
電力導出部１６は、各発電本体３１に備えるコイル５６からロータブレード２８、キャップ２７及び筒状回転軸２２内に配線された導線６１，６２と、これらの導線６１，６２に接続されるとともに筒状回転軸２２の外周面に取付けられた一対のスリップリング６３，６３と、これらのスリップリング６３，６３と摺動しながら電力を外部に取り出すためにナセル１１の内面に取付けられたブラシ６６，６６と、これらのブラシ６６，６６に接続された電力取出し用導線７１，７２とからなる。
【００４０】
図４（ａ），（ｂ）は本発明に係る風力発電装置（第１実施形態）の発電部の作用を示す作用図である。
（ａ）において、後部ロータの発電本体３１に前部ロータのヨーク３２が対向していないときには、永久磁石５２，５２による磁束がヨーク５４の突起部５４ａに発生しにくい状態にある。
【００４１】
（ｂ）において、発電本体３１にヨーク３２が対向すると、永久磁石５２から放出されてヨーク５４の突起部５４ａ及びヨーク３２を貫く磁束が発生し、コイル５６に電磁誘導作用による起電力が発生する。
【００４２】
本発明では、ヨーク５４及びコイル５６からなる電機子５１のヨーク５４の両端に界磁磁石として永久磁石５２，５２を配置したので、従来のようなヨーク５４無しに単に永久磁石５２のみを配置するのに比べて、磁束密度を大きくすることができるとともに、２つの永久磁石５２，５２間の距離をより大きくすることができるため、反磁界を弱くすることができ、反磁界に対する磁界がより強くなり、誘導される起電力も大きくなる。
また、反磁界が弱いと、永久磁石５２，５２が減磁しにくくなり、より長期に亘って且つより高温でも使用することが可能になる。
【００４３】
以上の図１に示したように、本発明は、風力を受けて回転する第１のロータとしての後部ロータ１３と、風力を受けて回転するときに後部ロータ１３に対して相対速度を有する第２のロータとしての前部ロータ１２とを備えた風力発電装置１０において、後部ロータ１３に界磁磁石としての永久磁石５２及び電機子５１を配置し、前部ロータ１２に永久磁石５２の磁束を形成するために永久磁石５２及び電機子５１に対向可能にヨーク３２を配置するとともに、永久磁石５２及び電機子５１と、ヨーク３２とを、後部ロータ１３及び前部ロータ１２の回転軸、即ち、筒状回転軸２２及び回転軸２１の軸方向に並ぶように配置したことを特徴とする。
【００４４】
これにより、後部ロータ１３及び前部ロータ１２の直径を小さくすることができ、ロータブレード２８，２５のロータ直径を所定寸法に設定する場合には、後部ロータ１３及び前部ロータ１２の受風面積を従来よりも大きくすることができる。従って、風力エネルギーを効果的に利用することができ、風力発電装置１０の出力を向上させることができる。
【００４５】
また、後部ロータ１３に永久磁石５２及び電機子５１を配置することで、電機子５１を構成するコイル５６が巻かれたヨーク５４の両端に永久磁石５２が配置された場合に、Ｎ極とＳ極との距離を大きくすることができ、反磁界を弱め、これに伴って磁界を強くすることができる。
【００４６】
従って、前部ロータ１２のヨーク３２が永久磁石５２及び電機子５１に接近、あるいは離れたときに発生する磁束の変化を、例えば、後部ロータに永久磁石のみを配置した場合に比べて、本発明では大きくすることができ、大きな起電力を発生させることができる。このことからも、風力発電装置の出力を向上させることができる。
【００４７】
更に、反磁界が弱まることで、永久磁石５２を減磁しにくくすることができる。従って、長期間の発電や、温度が高い環境での発電に耐えることができる。
【００４８】
また本発明は、後部ロータ１３と前部ロータ１２とは逆方向に回転することを特徴とする。
これにより、後部ロータ１３と前部ロータ１２との相対速度を大きくすることができ、風力発電装置１０の出力を向上させることができる。
【００４９】
図５は本発明に係る風力発電装置（第２実施形態）の断面図であり、図１に示した第１実施形態と同一構成については同一符号を付け、詳細説明は省略する。
風力発電装置８０は、ナセル１１と、このナセル１１に取付けられた前部ステータ８１と、ナセル１１に回転可能に取付けられた後部ロータ８３と、これらの前部ステータ８１及び後部ロータ８３に取付けられた発電部１４と、この発電部１４で発電された電力を外部に導く導線８６，８７と、支柱１７とからなる。
【００５０】
ナセル１１は、前部ステータ８１に取付けられた固定軸８８が後端支持部材９１を介して取付けられ、後部ロータ８３に取付けられた筒状回転軸２２が回転可能に設けられた部材である。
【００５１】
筒状回転軸２２は、ナセル１１に一対のベアリング４１，４２を介して回転可能に支持されるとともに固定軸８８に一対のベアリング４３，４４を介して回転可能に支持されている。
【００５２】
前部ステータ８１は、固定軸８８の前端に取付けられたキャップ２４と、このキャップ２４に取付けられた複数のステータブレード９４とからなり、後部ロータ８３に流入する空気の速度を高める増速翼列としたものである。
後部ロータ８３は、キャップ２７と、このキャップ２７に取付けられた複数のロータブレード９６とからなる。
【００５３】
発電部１４の発電本体３１は、前部ステータ８１のステータブレード９４の後部に取付けられ、発電部１４のヨーク３２は、後部ロータ８３のロータブレード９６の前部に取付けられている。
このように、発電本体３１よりも軽量なヨーク３２が後部ロータ８３に取付けられているため、後部ロータ８３の始動性を向上させることができる。従って、風速が変化しても後部ロータ８３の回転速度を風速に追従しやすくすることができ、風力発電装置８０の出力を増すことができる。
【００５４】
導線８６，８７は、各発電本体３１に備えるコイル５６からステータブレード９４、キャップ２４、固定軸８８内、後端支持部材９１、ナセル１１の外面（又は内面）、支柱１７内に配線されている。
【００５５】
以上の図５に示したように、本発明は、風力を受けて回転する後部ロータ８３と、この後部ロータ８３の前流（もしくは後流）に配置された前部ステータ８１とを備えた風力発電装置８０において、後部ロータ８３及び前部ステータ８１の一方に界磁磁石としての永久磁石５２及び電機子５１を配置し、他方に永久磁石５２の磁束を形成するために永久磁石５２及び電機子５１に対向可能にヨーク３２を配置するとともに、永久磁石５２及び電機子５１と、ヨーク３２とを、後部ロータ８３の回転軸としての筒状回転軸２２の軸方向に並ぶように配置したことを特徴とする。
【００５６】
これにより、後部ロータ８３の直径を小さくすることができ、後部ロータ８３のロータ直径を所定寸法に設定する場合には、後部ロータ８３の受風面積を従来よりも大きくすることができる。従って、風力エネルギーを効果的に利用することができ、風力発電装置８０の出力を向上させることができる。
【００５７】
また、後部ロータ８３及び前部ステータ８１の一方に永久磁石５２及び電機子５１を配置することで、電機子５１を構成するコイル５６が巻かれたヨーク５４の両端に永久磁石５２が配置された場合に、Ｎ極とＳ極との距離を大きくすることができ、反磁界を弱め、これに伴って磁界を強くすることができる。
【００５８】
従って、後部ロータ８３及び前部ステータ８１の他方のヨーク３２が永久磁石５２及び電機子５１に接近、あるいは離れたときに発生する磁束の変化を、例えば、後部ロータ及び前部ステータの一方に永久磁石のみを配置した場合に比べて、本発明では大きくすることができ、大きな起電力を発生させることができる。このことからも、風力発電装置８０の出力を向上させることができる。
【００５９】
更に、反磁界が弱まることで、界磁磁石を減磁しにくくすることができる。従って、長期間の発電や、温度が高い環境での発電に耐えることができる。
【００６０】
本発明は、前部ステータ８１に永久磁石５２及び電機子５１を配置し、後部ロータ８３にヨーク３２を配置したことを特徴とする。
これにより、後部ロータ８３を軽量にすることができ、後部ロータ８３の始動性を向上させることができて、風力発電装置８０の出力を増すことができる。
【００６１】
本発明は、前部ステータ８１を、後部ロータ８３に流入する空気の速度を高める増速翼列としたことを特徴とする。
これにより、前部ステータ８１により後部ロータ８３の回転速度をより高めることができ、風力発電装置８０の出力を向上させることができる。
【００６２】
尚、本実施形態では、図１に示したように、前部ロータ１２にヨーク３２、後部ロータ１３に発電本体３１を配置したが、これに限らず、前部ロータ１２に発電本体３１、後部ロータ１３にヨーク３２を配置するとともに、後部ロータ１３のロータブレード２８の転向角を前部ロータ１２のロータブレード２５の転向角よりも大きくしてもよい。
【００６３】
また、図３に示したように、ベアリング４１〜４４としてボールベアリングを用いたが、これに限らず、ニードルベアリングやラジアルベアリング（滑り軸受）を用いてもよい。これらのニードルベアリングやラジアルベアリングを用いることにより、ナセルをより小径にすることができ、ロータの受風面積を更に大きくすることができる。
【００６４】
更に、図５に示したように、後部ロータ８３の風の上流（前流）側に前部ステータ８１を配置したが、これに限らず、後部ロータ８３の風の下流（後流）側にガイドベーン（案内羽根）等のステータを配置してもよい。また、前部ステータ８１に発電本体３１を配置したが、これに限らず、後部ロータ８３に近接するように配置された柱等に発電本体３１を配置してもよい。
【００６５】
また更に、図１に示した前部ロータ１２のロータブレード２５と後部ロータ１３のロータブレード２８、図５に示した前部ステータ８１のステータブレード９４と後部ロータ８３のロータブレード９６のそれぞれの組み合わせにおいて、転向角が小さい方に界磁磁石と電機子を設けてもよい。
更に、本発明の風力発電装置は、地上に固定する他、車載（例えば、ハイブリッド車、燃料電池車用）してもよい。
【産業上の利用可能性】
【００６６】
本発明は、小型の風力発電装置に好適である。
【図面の簡単な説明】
【００６７】
【図１】本発明に係る風力発電装置（第１実施形態）の断面図である。
【図２】本発明に係る前部ロータ及び後部ロータの正面図（第１実施形態）である。
【図３】本発明に係る風力発電装置（第１実施形態）の要部断面図である。
【図４】本発明に係る風力発電装置（第１実施形態）の発電部の作用を示す作用図である。
【図５】本発明に係る風力発電装置（第２実施形態）の断面図である。
【図６】従来の風力発電装置の正面図である。
【図７】従来の風力発電装置の断面図である。
【符号の説明】
【００６８】
１０，８０…風力発電装置、１２…第２のロータ（前部ロータ）、１３…第１のロータ（後部ロータ）、２１，２２…回転軸、３２…ヨーク、５１…電機子、５２…界磁磁石（永久磁石）、８１…ステータ（前部ステータ）、８３…ロータ（後部ロータ）。
【図１】
2008128144.tif 000003
【図２】
2008128144.tif 000004
【図３】
2008128144.tif 000005
【図４】
2008128144.tif 000006
【図５】
2008128144.tif 000007
【図６】
2008128144.tif 000008
【図７】
2008128144.tif 000009